(57)【要約】  【課題】  エプロンを簡単に固定できて施工性に優れ、しかも雨漏りの恐れなく取り付けられるはぜ締めタイプの折版屋根を提供する。  【解決手段】  折版屋根２における各折版屋根板３の水上側端部３ａの谷部６に、水上面戸１１と、該水上面戸の水下側にエプロン１２とが配設される。折版屋根板３のはぜ締め片８，８同士をはぜ締め連結したはぜ締め部１０上に覆い板固定具２０が取り付けられる。折版屋根２の水上側端部２ａの上面に棟押え用の覆い板１９が前記エプロン１２を覆うよう棟線方向に沿って配設され、この覆い板１９が覆い板固定具２０に固定されている。エプロン１２には係合片１８を設け、この係合片を覆い板固定具２０に設けた切欠部２７に係合させる。【選択図】      図２
2006328779.tif 000002
【特許請求の範囲】
【請求項１】
折版屋根における各折版屋根板の水上側端部の谷部に、該谷部の断面形状とほぼ合致する形状の水上面戸と、該水上面戸の水下側に配され、同じく前記谷部の断面形状とほぼ合致する形状のエプロンとが配設されており、
前記折版屋根における各折版屋根板の谷部上端の肩部に設けたはぜ締め片同士をはぜ締め連結しており、そのはぜ締め部上に覆い板固定具が取り付けられており、
前記折版屋根の水上側端部上面に覆い板が前記エプロンを覆うよう棟線方向に沿って配設されるとともに、この覆い板が前記覆い板固定具に固定されているはぜ締めタイプの折版屋根において、
前記エプロンに係合片を設け、この係合片を前記覆い板固定具に設けた切欠部に係合させて前記エプロンが水上下方向へ動くのを規制していることを特徴とする、はぜ締めタイプの折版屋根。
【請求項２】
前記エプロンが、前記折版屋根板の谷部の断面形状とほぼ合致する台形状の主面板部と、この主面板部の上辺の両側部であって前記上辺よりも少し下がった箇所から突設されて前記折版屋根板の肩部上に載せられる座片とを備え、前記座片に前記係合片が設けられている、請求項１記載のはぜ締めタイプの折版屋根。
【請求項３】
前記覆い板固定具が、前記はぜ締め部の上方で前記覆い板を受けるウェブと、このウェブの両端から下向きに折曲され前記はぜ締め部をはさんで相対向する一対のフランジ、及び各フランジの下端から内向きに折曲されたリップとを有する断面リップ溝形に形成され、前記フランジの下端に、前記係合片が係合する切欠部が形成されている、請求項２記載のはぜ締めタイプの折版屋根。
【発明の詳細な説明】
【技術分野】
【０００１】
本発明は、はぜ締めタイプの折版屋根に係り、より詳しくは折版屋根の水上側において雨仕舞を良好にするために水上面戸の水下側に配備されるエプロンの取付け構造に関する。
【背景技術】
【０００２】
従来、この種のはぜ締めタイプの折版屋根として、たとえば、図１２、図１３に示すようなものがある（例えば、特許文献１参照。）。そこでは、棟部の梁４０上に、左右一対の吊子４１，４１を備えたタイトフレーム４２を固定し、棟線を挟んで相対向する左右の折版屋根４３，４３のうち、左側の折版屋根４３において互いに棟線方向に隣接する折版屋根板４４のはぜ締め片４５，４５同士を前記左側の吊子４１を挟んではぜ締め連結する。右側の折版屋根４３においても同様に、互いに棟線方向に隣接する折版屋根板４４のはぜ締め片４５，４５同士を前記右側の吊子４１を挟んではぜ締め連結する。そして、左右の折版屋根板４４，４４の各水上側端部（棟側端部）４４ａの谷部４６には、該谷部４６の水下側からの風雨が棟部に浸入するのを防止するために、谷部４６の断面形状とほぼ合致する形状の水上面戸４７と、該水上面戸４７の水下側に配され、同じく谷部４６の断面形状とほぼ合致する形状のエプロン４８とが谷部４６を塞ぐように配設される。エプロン４８には座片５１が付設され、この座片５１が折版屋根板４４の肩部５５上に載せられる。左右の各折版屋根板４４のはぜ締め片４５，４５同士をはぜ締めしたはぜ締め部４９上には覆い板固定具５０がエプロン４８の座片５１上に載るよう取り付けられ、左側の折版屋根板４４の水上側端部４４ａ上面と右側の折版屋根板４４の水上側端部４４ａ上面とに亘って左右のエプロン４８，４８を覆う幅を有する棟押え用の覆い板５２が配設されるとともに、この覆い板５２が前記覆い板固定具５０にビス５３等で固定されている。
【０００３】
【特許文献１】実公平７−１８８２０号公報
【発明の開示】
【発明が解決しようとする課題】
【０００４】
しかるに、上記はぜ締めタイプの折版屋根では、覆い板固定具５０がエプロン４８の座片５１上に載っているだけであるため、エプロン４８が谷部４６の水下側からの強風等により、外れたり、位置ずれしたりする問題があり、エプロン４８の取付け構造上不安定であった。また、施工時においてもエプロン４８の取付け構造上の不安定さから施工性が良くなかった。かと言って、図１２に示すように、エプロン４８の座片５１を折版屋根板４４の肩部５５にビスやリベット等の止具５６で固着すると、その止具５６をねじ込んだりかしめたりするといった面倒な作業が必要になるばかりか、その止具５６により折版屋根板４４の肩部５５に孔があけられるためその孔から雨漏りを生じやすいという問題があった。
【０００５】
本発明は、このような問題を解決するためになされたものであり、その目的とするところは、上記のような、棟押え用等の覆い板を覆い板固定具で固定するはぜ締めタイプの折版屋根において、覆い板固定具を利用してエプロンを簡単に固定できて施工性に優れ、しかも雨漏りの恐れなく取り付けられるはぜ締めタイプの折版屋根を提供することにある。
【課題を解決するための手段】
【０００６】
本発明は、その発明の内容を理解しやすくするために図１〜４に示した符号を参照して説明すると、折版屋根（２）における各折版屋根板（３）の水上側端部（３ａ）の谷部（６）に、該谷部の断面形状とほぼ合致する形状の水上面戸（１１）と、該水上面戸の水下側に配され、同じく前記谷部の断面形状とほぼ合致する形状のエプロン（１２）とが配設されており、各折版屋根板（３）の谷部（６）上端の肩部（７）に設けたはぜ締め片（８）（８）同士をはぜ締め連結しており、そのはぜ締め部（１０）上に覆い板固定具（２０）が取り付けられており、前記折版屋根の水上側端部の上面に覆い板（１９）が前記エプロンを覆うよう棟線方向に沿って配設されるとともに、この覆い板が前記覆い板固定具に固定されているはぜ締めタイプの折版屋根において、前記エプロン（１２）に係合片（１８）を設け、この係合片を前記覆い板固定具に設けた切欠部（２７）に係合させて前記エプロンが水上下方向へ動くのを規制していることに特徴を有するものである。
【０００７】
ひとつの好適な態様として、本発明によるはぜ締めタイプの折版屋根は、前記エプロンは、前記折版屋根板の谷部の断面形状とほぼ合致する台形状の主面板部（１３）と、この主面板部の上辺の両側部であって前記上辺よりも少し下がった箇所から突設されて前記折版屋根板の肩部上に載せられる座片（１７）とを備え、前記座片に前記係合片を設けたものとすることができる。一方、前記覆い板固定具は、前記はぜ締め部の上方で前記覆い板を受けるウェブ（２４）と、このウェブの両端から下向きに折曲され前記はぜ締め部をはさんで相対向する一対のフランジ（２５）（２５）、及び各フランジの下端から内向きに折曲されたリップ（２６）（２６）とを有する断面リップ溝形に形成し、前記フランジの下端に、前記係合片が係合する切欠部（２７）を形成したものとすることができる。
【発明の効果】
【０００８】
本発明によれば、エプロンに係合片を設け、この係合片を覆い板固定具に設けた切欠部に係合させてエプロンが水上下方向へ動くのを規制するものとしてあるので、エプロンの固定にビスやリベット等の止具を用いる必要がなくなってそれらの止具を締め付けたりかしめたりする面倒な作業が不要になり、エプロンの係合片を覆い板固定具の切欠部に係合させるだけの簡単な作業で施工性に優れ、そればかりか、ビスのねじ込みやリベットを通すための孔をあける必要がなくなるため雨漏りの原因になることもない。
【発明を実施するための最良の形態】
【０００９】
本発明の好適な実施形態を図面に基づき説明する。図１は本発明の一実施例を示すはぜ締めタイプの折版屋根の一部平面図、図２は図１におけるＡ−Ａ線断面図、図３は図２におけるＢ部の拡大断面図、図４は図３におけるＣ−Ｃ線断面図、図５（ａ）〜（ｃ）は図１の折版屋根に使用するエプロンの平面図、正面図、側面図、図６（ａ）〜（ｅ）は折版屋根に使用する覆い板固定具の平面図、正面図、左側面図、右側面図、底面図である。
【００１０】
図１ないし図４において、本発明に係るはぜ締めタイプの折版屋根は、棟部の梁など下地材１の上方において左右の折版屋根２，２が水上側端部（棟側端部）２ａ，２ａ同士間に棟線Ｘ（図１参照）をはさんで相対向するよう葺かれる。左右の各折版屋根２は棟線Ｘ方向に隣接する金属製の折版屋根板３，３同士をはぜ締め連結するとともに、下地材１上にタイトフレーム４、吊子５を介して固定する。
すなわち、各折版屋根板３は、塗装鋼板等を素材にして、谷部６と、この谷部６の上端両側縁から外方へ水平に張り出される肩部７，７とを一体に形成した水上下方向（棟軒方向）Ｙに長い成形品からなり、両肩部７，７にはそれぞれ断面フック形状のはぜ締め片８をその長手方向に沿って設けている。そして、下地材１には、上端に吊子５を吊子用ボルト９で取り付けた左右一対のタイトフレーム４が溶接等で固定されて、棟線Ｘ方向に隣接する折版屋根板３，３ははぜ締め片８，８同士は吊子５を挟んで所定勾配にはぜ締め連結される。そのようにはぜ締めされたはぜ締め部を符号１０で示してある。
【００１１】
左右の折版屋根２，２の各折版屋根板３の水上側端部（棟側端部）３ａの谷部６には金属製の水上面戸１１が配設される。水上面戸１１は折版屋根板３の谷部６の断面形状とほぼ合致する台形状に形成されて谷部６をコーキングｃ等と共に閉塞し、水下からの雨風が棟部に浸入することを防ぐ役目を担っている。また、折版屋根板３の水上側端部３ａの谷部６における水上面戸１１の水下側には棟部への風雨浸入を二重に防止するための金属製のエプロン１２が配設される。
【００１２】
図５（ａ）〜（ｃ）に示すようにエプロン１２は、鋼板等を素材にして、折版屋根板３の谷部６の断面形状とほぼ合致する台形状の主面板部１３と、この主面板部１３の上辺から一側方へ張り出す上フランジ１４と、主面板部１３の底辺及び両側斜辺からそれぞれ他側方へ張り出す底フランジ１５及び両側フランジ１６，１６とを一体に形成している。さらに、エプロン１２は、主面板部１３の上辺の両側部であって該上辺よりも少し下がった箇所から座片１７を他側方へ突設し、その座片１７の突出先端に係合片１８を上向きに折り曲げ形成している。そして、エプロン１２は、折版屋根板３の谷部６において上フランジ１４を水下側（軒方向側）へ向け、底フランジ１５及び両側フランジ１６，１６を水上側（棟方向側）へ向けるように主面板部１３を谷部６にはめ込み、かつ座片１７，１７を折版屋根板３の肩部７，７上に載せる。
【００１３】
左側の折版屋根２の水上側端部２ａの上面と右側の折版屋根２の水上側端部２ａの上面とに亘って金属製の棟押え用の覆い板１９が配設される。この覆い板１９は左右の各折版屋根板３のはぜ締め部１０上に取り付けられる覆い板固定具２０にセルフドリリングビス２１等で固定される。覆い板１９は左右のエプロン１２，１２を覆う幅を有しかつ棟線Ｘ方向に延びる帯形状に形成され、その幅方向の左右両端は折り返し片２２を内向きに折り返して係合溝部２３を形成している。
【００１４】
図６（ａ）〜（ｅ）に示すように覆い板固定具２０は、ウェブ２４と、このウェブ２４の両端から下向きに折曲された一対のフランジ２５，２５、及び各フランジ２５の下端一部から内向きに折曲された長短のリップ２６，２６とを有する断面リップ溝形に形成され、前記一対のフランジ２５の各下端に、前記エプロン１２の係合片１８が係合する切欠部２７が形成されている。
【００１５】
図２ないし図４にみられるように、覆い板固定具２０は、折版屋根板３の肩部７，７上においてウェブ２４がはぜ締め部１０を跨ぎ、かつ一対のフランジ２５，２５がはぜ締め部１０をはさむとともに、リップ２６，２６が肩部７，７上に載るように設置される。その際、覆い板固定具２０は、フランジ２５のリップ２６を有しない下端部がエプロン１２の座片１７を踏むとともに、切欠部２７にエプロン１２の係合片１８を係合させる。これにより、エプロン１２は強風等により外れたり、位置ずれしたりすることのないように安定かつ確実に取り付けられる状態が得られる。そして、覆い板固定具２０は、図４に示すように、一方のフランジ２５に締付ボルト２８をねじ込み、この締付ボルト２８の先端をはぜ締め部１０の一側部に当接させるとともに、その締付ボルト２８の締め付けに伴いもう一方のフランジ２５の長い側のリップ２６の先端をはぜ締め部１０の他側部に当接させることによりはぜ締め部１０上の所定位置に固定される。
【００１６】
覆い板１９が左側の折版屋根２の水上側端部２ａの上面と右側の折版屋根２の水上側端部２ａの上面とに亘って配設される際、その覆い板１９の幅方向両端部が左右の覆い板固定具２０の各ウェブ２４上に載せられてセルフドリリングビス２１等で固定される。その際、覆い板１９の幅方向両端部の係合溝部２３，２３に左右のエプロン１２の各上フランジ１４が係合される。
【００１７】
上記実施例の構成のようにエプロン１２に係合片１８を設け、この係合片１８を覆い板固定具２０の切欠部２７に係合させると、エプロン１２は係合片１８の切欠部２７との係合作用により谷部６の水下側からの強風等により水上下方向（棟軒方向）Ｙへ揺れ動いたり、がたついたりするのを防止できる。したがって、エプロン１２の取付け手段にビスやリベット等の止具を用いる必要がなくなり、それらの止具を締め付けたりかしめたりする面倒な作業に比べ、エプロン１２の係合片１８を覆い板固定具２０の切欠部２７に係合させるだけの簡単な作業で施工性に優れる。しかも、ビスのねじ込みやリベットを通すための孔をあける必要がなくなるため雨漏りの原因になることもない。
【００１８】
上記実施例ではエプロン１２において係合片１８を座片１７の突出先端に上向きに折り曲げることにより形成してなるが、これに限られるものではなく、その他に、たとえば、図７、図９（ａ）〜（ｃ）に示すようにエプロン１２の座片１７の一部から係合片１８を切起し形成するものであってもよい。この場合、図８、図１０（ａ）〜（ｅ）のように覆い板固定具２０のフランジ２５の下端に、その切起し係合片１８の形状に対応する切欠部２７を設けることになる。
【００１９】
また、上記実施例では左右の折版屋根２，２が水上側端部（棟側端部）２ａ，２ａ同士間に棟線Ｘをはさんで相対向するよう葺かれる折版屋根の棟納め構造に適用した場合について説明したが、その他に、例えば、図１１に示すように片流れタイプの折版屋根であって壁取り合い納め構造に適用することもできる。
【００２０】
図１１において、梁など下地材３０の上方において葺かれる片流れタイプの折版屋根２は、上記実施例の場合と同様に、棟線方向（下地材長手方向と同一方向）に隣接する金属製の折版屋根板３，３同士をはぜ締め連結するとともに、下地材３０上にタイトフレーム４、吊子５を介して固定する。そして、各折版屋根板３の水上側端部３ａの谷部６には、上記実施例の場合と同様に、該谷部６の断面形状とほぼ合致する形状の水上面戸１１と、同じく谷部６の断面形状とほぼ合致する形状でかつ係合片１８を有するエプロン１２とが配設される。各折版屋根板３のはぜ締め部１０上には、上記実施例の場合と同様に、断面リップ溝形に形成されかつ切欠部２７を有する覆い板固定具２０が締付ボルト２８等で取り付けられる。その際、覆い板固定具２０の切欠部２７にエプロン１２の係合片１８を係合させる。これによりエプロン１２は強風等により外れたり、位置ずれしたりすることのないように安定かつ確実に取り付けられる状態が得られる。
【００２１】
折版屋根２の水上側端部２ａの上面と外壁３２の下部内面とに亘って、断面Ｌ形状に形成されて屋根面覆い部３１ａと立ち上がり部３１ｂを有する水切り用の覆い板３１が屋根面覆い部３１ａでエプロン１２を覆うよう棟線方向に沿って配設される。このとき、覆い板３１の屋根面覆い部３１ａは覆い板固定具２０にセルフドリリングビス２１等で固定され、立ち上がり部３１ｂは外壁３２と共に胴縁３３にセルフドリリングビス３４等で固定される。また、覆い板３１の屋根面覆い部３１ａの軒側端部の係合溝部３５にエプロン１２の上フランジ１４が係合される。尚、その他の構成については、上記実施例の場合と同様であるため、同一部材、同一要素に同一符号を付してその説明を省略する。
【図面の簡単な説明】
【００２２】
【図１】本発明の一実施例を示すはぜ締めタイプの折版屋根の一部平面図である。
【図２】図１におけるＡ−Ａ線断面図である。
【図３】図２におけるＢ部の拡大断面図である。
【図４】図３におけるＣ−Ｃ線断面図である。
【図５】（ａ）〜（ｃ）は図１の折版屋根に使用するエプロンの平面図、正面図、側面図である。
【図６】（ａ）〜（ｅ）は折版屋根に使用する覆い板固定具の平面図、正面図、左側面図、右側面図、底面図である。
【図７】他の実施例を図３に相応して示す拡大断面図である。
【図８】図７におけるＤ−Ｄ線断面図である。
【図９】（ａ）〜（ｃ）は他の実施例の折版屋根に使用するエプロンの平面図、正面図、側面図である。
【図１０】（ａ）〜（ｅ）は他の実施例の折版屋根に使用する覆い板固定具の平面図、正面図、左側面図、右側面図、底面図である。
【図１１】更に他の実施例を図２に相応して示す断面図である。
【図１２】従来例のはぜ締めタイプの折版屋根の一部断面図である。
【図１３】図１２におけるＦ−Ｆ線断面図である。
【符号の説明】
【００２３】
２  折版屋根
２ａ  折版屋根の水上側端部
３  折版屋根板
３ａ  折版屋根板の水上側端部
６  谷部
７  肩部
８  はぜ締め片
１０  はぜ締め部
１１  水上面戸
１２  エプロン
１３  主面板部
１７  座片
１８  係合片
１９  棟押え用の覆い板
２０  覆い板固定具
２４  ウェブ
２５  フランジ
２６  リップ
２７  切欠部
３１  水切り用の覆い板
【図１】
2006328779.tif 000003
【図２】
2006328779.tif 000004
【図３】
2006328779.tif 000005
【図４】
2006328779.tif 000006
【図５】
2006328779.tif 000007
【図６】
2006328779.tif 000008
【図７】
2006328779.tif 000009
【図８】
2006328779.tif 000010
【図９】
2006328779.tif 000011
【図１０】
2006328779.tif 000012
【図１１】
2006328779.tif 000013
【図１２】
2006328779.tif 000014
【図１３】
2006328779.tif 000015